(57)【要約】【課題】　何らかの原因により電源の遮断状態が発生した場合、払出制御装置のＲＡＭに記憶されているデータをバックアップし、電源遮断直前のデータによる払出制御状態を維持することができるパチンコ遊技機を提供する。【解決手段】　メイン基板に配備されたメイン制御装置２４と、払出基板に配備された払出制御装置３４とにより、少なくともパチンコ球の払出制御が設定されるパチンコ遊技機において、電源の遮断状態が発生したことに対応して払出制御装置３４のＲＡＭ４３に記憶されているデータをバックアップする払出バックアップ手段４５を設ける。【選択図】　　　図３
2004000808.tif 000002
【特許請求の範囲】
【請求項１】
　メイン基板に配備されたメイン制御装置と、払出基板に配備された払出制御装置とにより、少なくともパチンコ球の払出制御が設定されるパチンコ遊技機において、電源の遮断状態が発生したことに対応して前記払出制御装置のＲＡＭに記憶されているデータをバックアップする払出バックアップ手段を設けたことを特徴とするパチンコ遊技機。
【請求項２】
　前記払出バックアップ手段が、バックアップ用コンデンサを含み、電源の遮断状態発生時に、該バックアップ用コンデンサに蓄えられた電荷を前記払出制御装置に供給することを特徴とする請求項１に記載のパチンコ遊技機。
【請求項３】
　前記払出バックアップ手段が、電圧低下検出回路とデータの書込みが可能とされたＲＯＭとを有し、電源の遮断状態発生時に、前記電圧低下検出回路の検出信号に応じて前記ＲＡＭに記憶されているデータを前記ＲＯＭに書き込むデータ保持制御手段を備えていることを特徴とする請求項１に記載のパチンコ遊技機。
【請求項４】
　前記払出バックアップ手段が、電源投入時、前記ＲＯＭにデータが記憶されている場合に、前記データを前記ＲＡＭに書き込むデータ復帰制御手段を備えていることを特徴とする請求項３に記載のパチンコ遊技機。
【発明の詳細な説明】
【技術分野】
【０００１】
　本発明は、特に、払出データのバックアップ機能を有するパチンコ遊技機に関する。
【背景技術】
【０００２】
　パチンコ遊技機において、パチンコ遊技の総括的な制御を行うメイン制御装置が記憶する遊技データをバックアップする技術が、例えば、特公平４−２０６３５号として公知である（例えば、特許文献１）。
【０００３】
　このものは、遊技の進行によってメイン制御装置がＲＡＭの記憶エリアに作成記憶するメイン制御データに関して、例えば、タイマ値、図柄表示器に表示するＬＥＤデータ、フィーバフラグ、入賞データ等に関して、同じＲＡＭのバックアップ用データ記憶領域にメイン制御データの複製を作成記憶し、メイン制御データがノイズ等の何らかの原因により壊れた場合、バックアップ用データ記憶領域に記憶された複製データに基づいて演算処理を行うようにして、遊技途中に遊技不能となることを防ぐようにしたものである。
【０００４】
　しかしながら、このものは、パチンコ遊技機に供給される電源が遮断状態となった場合には、前記ＲＡＭの作動電源も電源断となり、該ＲＡＭのパックアップ用データ記憶領域に記憶された複製データも消失してしまう。すなわち、このものは、パチンコ遊技機の電源遮断時のデータのバックアップ技術に関するものではない。
【０００５】
【特許文献１】特公平４−２０６３５号
【発明の開示】
【発明が解決しようとする課題】
【０００６】
　本発明の目的は、何らかの原因により電源の遮断状態が発生した場合、払出制御装置のＲＡＭに記憶されているデータをバックアップし、電源遮断直前のデータによる払出制御状態を維持することができるパチンコ遊技機を提供することにある。
【課題を解決するための手段】
【０００７】
　請求項１に記載のパチンコ遊技機は、メイン基板に配備されたメイン制御装置と、払出基板に配備された払出制御装置とにより、少なくともパチンコ球の払出制御が設定されるものであって、上記課題を解決するために、電源の遮断状態が発生したことに対応して前記払出制御装置のＲＡＭに記憶されているデータをバックアップする払出バックアップ手段を設けたことを特徴とする。
【０００８】
　請求項２に記載のパチンコ遊技機は、請求項１に記載のものにおいて、前記払出バックアップ手段が、バックアップ用コンデンサを含み、電源の遮断状態発生時に、該バックアップ用コンデンサに蓄えられた電荷を前記払出制御装置に供給することを特徴とするものである。
【０００９】
　請求項３に記載のパチンコ遊技機は、請求項１に記載のものにおいて、前記払出バックアップ手段が、電圧低下検出回路とデータの書込みが可能とされたＲＯＭとを有し、電源の遮断状態発生時に、前記電圧低下検出回路の検出信号に応じて前記ＲＡＭに記憶されているデータを前記ＲＯＭに書き込むデータ保持制御手段を備えていることを特徴とするものである。
【００１０】
　請求項４に記載のパチンコ遊技機は、請求項１に記載のものにおいて、前記払出バックアップ手段が、電源投入時、前記ＲＯＭにデータが記憶されている場合に、前記データを前記ＲＡＭに書き込むデータ復帰制御手段を備えていることを特徴とするものである。
【発明の効果】
【００１１】
　請求項１に記載の構成によれば、払出バックアップ手段が、電源の遮断状態が発生したことに対応して払出制御装置のＲＡＭに記憶されているデータをバックアップするので、何らかの原因により電源の遮断状態が発生した場合であっても、電源遮断発生直前のデータによる払出制御状態を維持することができる。
【００１２】
　請求項２に記載の構成によれば、電源の遮断状態発生時に、バックアップ用コンデンサに蓄えられた電荷が払出制御装置に供給されるので、バックアップ用コンデンサから電荷が供給されている時間の間、払出制御装置の作動状態を維持することができ、電源の遮断状態発生時に、直ちに払出制御装置が作動停止することを回避することができる。
【００１３】
　請求項３に記載の構成によれば、電圧低下検出回路により電源の遮断状態発生を検出することができ、電圧低下検出回路の検出信号に応じてＲＡＭに記憶されているデータを書込み可能なＲＯＭに書き込むので、電源の遮断状態が発生した場合であっても、電源遮断発生直前のデータによる払出制御状態を確実に前記ＲＯＭに保持することができる。
【００１４】
　請求項４に記載の構成によれば、電源の遮断状態発生後、払出制御装置に電源を再投入した場合に、書込み可能なＲＯＭに記憶されている全データを払出制御装置のＲＡＭに読み込むので、払出制御装置の制御状態を電源遮断時のデータによる払出制御状態に確実に復帰させることができる。
【発明を実施するための最良の形態】
【００１５】
　以下、本発明の実施の形態を図面を参照して説明する。図１は、本実施形態のパチンコ遊技機に配備された遊技盤面の正面図である。図１に示すように、遊技盤面１の略中央には図柄表示ユニット２が配備され、図柄表示ユニット２の左方並びに右方となる遊技盤面１の左右の袖部にはそれぞれ左右ゲート３，４が設けられ、図柄表示ユニット２の下方中央には普通電動役物５が設けられ、遊技盤面１の下部には役物ユニット６が配設されている。
【００１６】
　図柄表示ユニット２の中央にはカラー液晶表示装置により構成された特別図柄表示装置７が組み付けられ、図柄表示ユニット２の上部左側にはセグメント形式の表示器からなる普通図柄表示装置８が配設されている。なお、普通電動役物５の入賞口が特別図柄表示装置７における特別図柄の図柄変動の開始に係る始動入賞口９に設定されている。また、左右ゲート３，４が普通図柄表示装置８における図柄変動の開始に係る始動ゲートに設定されている。
【００１７】
　図柄表示ユニット２の上部右側には、左右ゲート３，４へのパチンコ球の通過を最高４つ迄記憶して個数点灯表示する普通図柄用の記憶数表示ＬＥＤ１０が配備され、図柄表示ユニット２の上部中央には、始動入賞口８へのパチンコ球の入賞を最高で４つまで記憶し、個数点灯表示する特別図柄用の記憶数表示ＬＥＤ１１が配設されている。
【００１８】
　特別図柄表示装置７の表示画面構成は、画面上部に大当りはずれの判定を行うために判定図柄を変動表示した後、大当り図柄または大当り図柄以外のはずれ図柄を確定停止する特別図柄表示部、即ち、左図柄表示部１２と、中図柄表示部１４と右図柄表示部１３とが設けられ、画面中間から下部に絵柄表示部１５が設けられている。また、絵柄表示部１５は、判定図柄としての特別図柄以外の絵柄が表示される領域であり、即ち、キャラクタ、吹き出し、背景が表示される表示領域である。
【００１９】
　役物ユニット６の中央には、開閉扉１６により開成される大入賞口１７や普通入賞口１９，１９等が集約して配備されている。大入賞口１７の内部の一部には、特別入賞領域である特定領域１８が設けられ、該特定領域１８には特定領域１８を開閉する特定領域扉（図示せず）が設けられている。
【００２０】
　なお、遊技盤面１には、普通入賞口２０，２０、アウト受入口２１、風車２２、ランプ付き風車２３等が配設されているが、これらの要素は従来と同様の周知のものである。
【００２１】
　なお、図示しないが遊技盤裏面には、図１に示す始動入賞口８に対応して始動口入賞検出スイッチＳＷ１が配備され、左右ゲート３，４にそれぞれ対応してゲート通過を検出するゲート用スイッチＳＷ２，ＳＷ３がそれぞれ配備され、大入賞口１７に対応して大入賞口入賞検出スイッチＳＷ４が配備され、大入賞口１７の内部の特定領域１８への入賞を検出する特定領域通過検出スイッチＳＷ５が配備され、普通電動役物５を作動させて始動入賞口８を拡開させるための普通電動役物ソレノイドＳＯＬ１、開閉扉１６を回動して大入賞口１７を開放させるための大入賞口ソレノイドＳＯＬ２、特定領域扉を開閉動作するための特定領域扉開放用ソレノイドＳＯＬ３が配備されている。
【００２２】
　図２は、実施形態のパチンコ遊技機に配備された制御部を示す要部ブロック図である。メイン制御装置２４は、各種遊技状況に応じてパチンコ遊技に関する総括的な制御を行うもので、図示しない主制御基板に配備されている。メイン制御装置２４は、実質的な制御処理を行うメインＣＰＵ２５と、メインＣＰＵ２５が行う各制御プログラムを格納したＲＯＭ２６と、随時データの読み出し並びに書き込みが可能なＲＡＭ２７と、クロック・リセット回路２８と、ＣＰＵ２５が外部装置とデータ通信を行うためのインタフェース２９とにより構成されている。
【００２３】
　ＣＰＵ２５には、内部バス３０を介してＲＯＭ２６、ＲＡＭ２７及びインタフェース２９が接続されるほか、スイッチ入力回路３１、ドライバ３２、表示用ドライバ３３が接続されている。スイッチ入力回路３１には、始動口入賞検出スイッチＳＷ１、ゲート用スイッチＳＷ２，ＳＷ３、大入賞口入賞検出スイッチＳＷ４及び特定領域通過検出スイッチＳＷ５が接続され、各スイッチＳＷ１〜ＳＷ５の状態が同時に入力されるよう構成されている。
【００２４】
　また、ドライバ３１には普通電動役物ソレノイドＳＯＬ１、大入賞口ソレノイドＳＯＬ２及び特定領域扉開放用ソレノイドＳＯＬ３が接続され、メインＣＰＵ２５からの制御出力によりこれらの駆動要素が独立的に駆動されるよう構成され、さらに、表示用ドライバ３３には普通図柄表示器９が接続されており、メインＣＰＵ２５からの制御出力により表示駆動されるよう構成されている。また、メインＣＰＵ２５には、クロック・リセット回路２８で生成されたリセット信号が所定周期毎に入力される。
【００２５】
　特別図柄表示装置７は、図柄表示用ＣＰＵ（図示せず）及びメモリ等（図示せず）を備えるもので、インタフェース２９を介してメインＣＰＵ２５からの一方向で通信可能に接続されている。さらに、メイン制御装置２４には払出制御装置３４がインタフェース２９を介してメインＣＰＵ２５からの一方向で通信可能に接続されている。
【００２６】
　特別図柄表示装置７の図柄表示用ＣＰＵは、メイン制御装置２４から送られたステータス情報に応じて、ＶＤＰ（図示せず）に対して制御出力し、ＶＤＰが液晶表示画面上に当り外れを行わせる図柄の変動表示やキャラクタと呼称されている各種絵柄（例えば、人物や動物）を動画表示すると共に、背景や吹き出しを切換表示することで特別図柄表示装置７の表示制御を行う。
【００２７】
　図３は本実施形態のパチンコ遊技機に配備された払出制御系統の要部ブロック図である。払出制御装置３４は、図示しない払出制御基板に配備されている。なお、払出制御基板は、パチンコ遊技機裏面側に設けられた払出制御部収納ボックスの内部に収容されている。払出制御装置３４は、メイン制御装置２４からの一方向通信可能に接続されており、メイン制御装置２４から指令される賞球コマンドに従って少なくともパチンコ球の払出制御を行う。
【００２８】
　払出制御装置３４は、制御処理実行手段としてのサブＣＰＵ４１と、サブＣＰＵ４１が行う各制御プログラム（賞品球払出処理、貸球払出処理、エラー処理やデータバックアップ処理等）を格納したＲＯＭ４２と、随時データの読み出し並びに書き込みが可能なＲＡＭ４３と、メイン制御装置３４と通信を行うための通信インタフェース（図示せず）とにより構成されている。
【００２９】
　払出制御装置３４には、前述のメイン制御装置２４が通信接続されている他、賞品球の排出を行う賞品球排出装置３５と、貸球の排出を行う貸球排出装置３６と、球貸し操作に応じて貸球要求信号を払出制御装置３４に送るカードユニット３７と、遊技盤面に向けてパチンコ球を弾発するための発射装置３８と、エラー表示器４４と、電圧低下検出回路を構成する電圧監視ＩＣ４６と、逐次データの書込みが可能なＲＯＭ４７とが接続されている。
【００３０】
　賞品球排出装置３５及び貸球排出装置３６は、例えば、球受部が複数周設されたスプロケットにより構成された回転球受体と、正転及び逆転が可能なステッピングモータとを備え、該ステッピングモータにより回転球受体を回転し、回転球受体の球受部に受け入れたパチンコ球を回転球受体の回転により球送りして１球ずつ排出する公知ものである。
【００３１】
　また、払出制御装置３４に接続されたカードユニット３７は、プリペイドカードを挿入し、該プリペイドカードに記憶された金額から球貸操作に応じた金額を差し引くと共に、球貸操作に応じた金額に相当する貸球要求信号を払出制御装置３４に出力するもので、１回の球貸操作につき、該プリペイドカードに記憶された金額から１００円を差し引くと共に、貸球２５個を１単位として貸球要求信号を払出制御装置３４に出力する。
【００３２】
　払出制御装置３４は、メイン制御装置２４から送信される指令払出数を含む賞球コマンドに応じ、指令払出数に対応して賞品球排出装置３５のステッピングモータを回転駆動し、賞品球排出装置３５に対する賞品球の払出制御を行う。また、払出制御装置３４は、カードユニット３７から送られた貸球要求信号を受けると、指令貸球数２５個に対応して貸球排出装置３６のステッピングモータを回転駆動し、貸球排出装置３６に対する貸球の払出制御を行う。
【００３３】
　本実施形態では、賞品球排出装置３５に賞品球用排出路（前後２条、図示せず）と貸球排出装置に貸球用排出路（前後２条、図示せず）とを設け、賞品球用排出路に賞品球を排出する一方、貸球貸球用排出路に貸球を排出する構成としてある。また、賞品球と貸球とを区別して検出するために、賞品球用排出路の中途と貸球用排出路の中途とに賞品球検出センサ３９及び貸球検出センサ４０（図示せず、例えば、フォトセンサにより構成）をそれぞれ設けている。なお、賞品球用排出路と貸球用排出路とは、それぞれ前後２条で形成されているので、賞品球検出センサ３９並びに貸球排出センサ４０を前後２条のそれぞれに設けてある。
【００３４】
　そして、賞品球の排出時には賞品球用排出路に設けた賞品球検出センサ３９の検出信号を、スイッチ入力回路３１を介してメイン制御装置２４及び払出制御装置３４に入力し、例えば、所定時間毎に賞品球検出センサ３９の検出信号の有無を監視し、賞品球検出センサ３９の検出信号があれば計数し、指令した払出数に対して実質的に排出されたパチンコ球の排出数を監視する。
【００３５】
　賞品球検出センサ３９の検出信号は、払出制御装置３４にも入力され、払出制御装置３４は賞品球検出センサ３９の検出信号があれば計数し、指令した払出数に達すると、賞品球排出装置３５を停止する。
【００３６】
　また、貸球の排出時には、貸球用排出路に設けた貸球検出センサ４０の検出信号を払出制御装置３４に入力し、貸球検出センサ４０の検出信号の有無を監視し、貸球検出センサ４０の検出信号があれば計数し、指令した貸球数に対して実質的に排出されたパチンコ球の排出数を監視する。
【００３７】
　その他、払出制御装置３４は、メイン制御装置２４から送信されるエラー制御コマンドとエラー制御解除コマンドとに応じて発射装置３８の作動停止及び作動停止解除に関する制御と、賞品球排出装置３９並びに貸球排出装置４０の作動停止及び作動停止解除に関する制御を行うが、この説明に関しては発明の要旨に直接関係しないので、省略することにする。
【００３８】
　以上に説明した払出制御装置３４には、電源の遮断状態が発生したことに対応して払出制御装置３４のＲＡＭに記憶されているデータをバックアップする払出バックアップ手段４５が設けられている。また、払出バックアップ手段４５は、バックアップ用電源を構成するバックアップ用コンデンサＣ１と、電圧低下検出回路を構成する電圧監視ＩＣ４６と、前述の書込み可能なＲＯＭ４７とを含んで構成されている。
【００３９】
　払出制御装置３４のＲＡＭ４３のバックアップ用電源端子Ｖｂは、ダイオードＤ１を通じて図示しない電源回路に接続され、払出制御装置３４の接地端子ＧＮＤはグランド接地されており、前記電源回路により生成された直流電圧＋５ＶがダイオードＤ１を介してバックアップ用電源端子Ｖｂに供給される。バックアップ用電源端子Ｖｂ−グランド接地端子ＧＮＤ間にはバックアップ用コンデンサＣ１（例えば、電気二重層コンデンサ）が接続され、印加電圧＋５ＶによりコンデンサＣ１に電荷が蓄えられる。
【００４０】
　また、払出制御装置３４のＩＮＴ端子は電圧監視ＩＣ４６を通して前記電源回路に接続されている。電圧監視ＩＣ４６には前記電源回路により生成された直流電圧＋１２Ｖが供給される。電圧監視ＩＣ４６は、電源断による供給電圧＋１２Ｖの低下に応じて電圧降下信号を払出制御装置３４のＩＮＴ端子に与える。
【００４１】
　なお、書込み可能なＲＯＭ４７は、例えば、ＥＥＰＲＯＭにより構成する。
【００４２】
　また、払出制御装置４２のＲＯＭ４２には、データバックアップ処理手段が格納され、該データバックアップ処理手段は、電源の遮断状態発生時に、電圧監視ＩＣ４６の電圧降下信号に応じてＲＡＭ４３に記憶されている全てのデータを書込み可能なＲＯＭ４７に書き込むデータ保持制御手段と、電源投入時、書込み可能なＲＯＭ４７にデータが記憶されている場合に、データをＲＡＭ４３に書き込むデータ復帰制御手段により構成されている。
【００４３】
　なお、図３において、第１入賞検出スイッチ４８は、例えば、図示しない遊技盤面の７個払出口（第１払出数）に設定された各入賞口に対して設けられた入賞検出スイッチを代表して示すものであり、第２入賞検出スイッチ４９は、例えば、図示しない遊技盤面の１５個払出口（第２払出数）に設定された各入賞口に対して設けられた入賞検出スイッチを代表して示すものであって、スイッチ入力回路３１を介して各々の入賞口へのパチンコ球の入賞をメイン制御装置２４が検出できるように構成されている。
【００４４】
　次に、払出制御装置３４に設けられた払出バックアップ手段４５によるＲＡＭ４３のデータのバックアップについて説明する。前提として、図示していない電源回路が生成した直流電圧＋１２Ｖが電圧監視ＩＣ４６に供給され、前記電源回路が生成した直流電圧＋５Ｖがバックアップ用コンデンサＣ１及び払出制御装置３４のＶｂ端子に供給されているものとする。この場合は、電圧監視ＩＣ４６の出力信号はなく、払出制御装置３４のＩＮＴ端子の入力はローレベルとなっている。また、バックアップ用コンデンサＣ１は、印加された直流電圧＋５Ｖにより充電される。
【００４５】
　何らかの原因により電源の遮断状態が発生した場合、電源回路によって電圧監視ＩＣ４６に与えられていた供給電圧が＋１２Ｖから０Ｖに向けて降下する。供給電圧の降下に応じて電圧監視ＩＣ４６は、電圧降下信号を出力して払出制御装置３４のＩＮＴ端子に与える。
【００４６】
　電源の遮断状態の発生により、電源回路が生成した直流電圧＋５Ｖも遮断されるが、直流電圧＋５Ｖの遮断時にバックアップ用コンデンサＣ１が放電を開始し、バックアップ用コンデンサＣ１に蓄えられた電荷が払出制御装置３４のＶｂ端子に供給されてＲＡＭ４３に記憶されている全データが維持されると共にサブＣＰＵ４１の作動も維持される。なお、バックアップ用コンデンサＣ１の静電容量は、少なくとも直流電圧＋５Ｖの遮断時から３秒間は、確実にＶｂ端子にバックアップ電源電圧を供給し、ＲＡＭ４３及びサブＣＰＵ４１に作動電源を供給するものである。
【００４７】
　払出制御装置３４は、ＩＮＴ端子に電圧降下信号の入力があると割り込み発生となり、割込処理としてデータ保持処理を開始する。本発明は、直流電圧＋５Ｖの遮断時からＶｂ端子へのバックアップ電源電圧の供給がなくなるまでの時間の間、ＲＡＭ４３に記憶されている全データを書き込み可能なＲＯＭ４７に書き込むことにより、ＲＡＭ４３に記憶されている各制御データを保持するものである。
【００４８】
　図４は、サブＣＰＵ４１が割り込み発生時に実行するデータ保持処理のフローチャートである。サブＣＰＵ４１はデータ保持処理を開始すると、ＲＡＭ４３の所定領域に設定されているバックアップフラグをセットし（ステップＳ０１）、データバックアップを行うことを記憶し、次いで、ＲＡＭ４３に記憶されている全データを書き込み可能なＲＯＭ４７に書き込む（ステップＳ０２）。サブＣＰＵ４１は、ＲＯＭ４７へのデータの書き込みを終了すると、データ保持処理を終了してメイン処理ルーチンに戻る。
【００４９】
　前述したようにデータ保持処理を行っている時間は、本実施形態では３秒程であり、サブＣＰＵ４１がデータ保持処理を終了した後に、バックアップ用コンデンサＣ１の放電が終了し、バックアップ電源電圧の供給がなくなり、払出制御装置３４の処理動作が停止する。
【００５０】
　次に、払出制御装置３４に電源を再投入する場合のデータ復帰処理について説明する。図５はサブＣＰＵ４１が電源投入時に実行するデータ復帰処理のフローチャートである。サブＣＰＵ４１はデータ復帰処理を開始すると、まず、書込み可能なＲＯＭ４７の所定領域に設定されているバックアップフラグがセットされているか否かを判別する（ステップＳ１０）。サブＣＰＵ４１はバックアップフラグがセットされている場合には、書込み可能なＲＯＭ４７に記憶されている全データをＲＡＭ４３に読み込み（ステップＳ１１）、書込み可能なＲＯＭ４７のバックアップフラグをクリアし（ステップＳ１２）、通常のメイン処理ルーチンに移行する一方、バックアップフラグがセットされていない場合には、初期化処理を行った後に通常のメイン処理ルーチンに移行する（ステップＳ１３）。
【００５１】
　なお、メイン処理ルーチンにおいて、メイン制御装置２４から送信された賞球個コマンド、エラー制御コマンド及びエラー制御解除コマンドの受信処理、受信した賞球コマンドに対応した賞品球の排出処理、受信したエラー制御コマンド及びエラー制御解除コマンドに対応したエラー制御及びエラー制御解除に関する処理、カードユニット３７から送信された貸球要求信号の受信処理、受信した貸球要求信号に対応した貸球の排出処理等が行われる。
【００５２】
　また、上記のエラー制御に関する処理において、カードユニット３７が払出制御装置３４（パチンコ遊技機）に通信接続されていない場合、サブＣＰＵ４１は、貸球排出装置３６の作動停止と発射装置３８の作動停止を行い、前述した払出制御部収納ボックスに配設されたエラー表示器４４にエラーモード表示、例えば、「６」を表示する。
【００５３】
　このように、何らかの原因により電源の遮断状態が発生した場合、電源の遮断状態の発生を電源監視ＩＣ４６により検出すると共に、バックアップ用コンデンサＣ１に蓄えられた電荷によって電源の遮断状態発生時から所定時間の間、払出制御装置３４（サブＣＰＵ４１及びＲＡＭ４３）の作動電源を確保し、前記の所定時間内に電源監視ＩＣ４６の検出信号（電圧降下信号）に応じて払出制御装置３４のＲＡＭ４３に記憶されている全データを書込み可能なＲＯＭ４７に書き込むことにより、ＲＡＭ４３に記憶されているデータをバックアップするので、電源遮断時のデータによる賞品球及び貸球の払出制御データをＲＯＭ４７に保持することができる。
【００５４】
　また、電源の遮断状態発生後、払出制御装置３４に電源を再投入した場合には、書込み可能なＲＯＭ４７に記憶されている全データを払出制御装置３４のＲＡＭ４３に読み込むので、払出制御装置３４の制御状態を電源遮断時のデータによる賞品球及び貸球の払出制御状態に確実に復帰させることができる。
【００５５】
　本実施形態において、払出制御基板とは別にバックアップ用基板を設け、該バックアップ基板に電圧監視ＩＣ４６、バックアップ用コンデンサＣ１及び書き込み可能なＲＯＭ４７を配備する構成としてもよい。
【００５６】
　また、実施の形態における図３に示した払出制御系統において、以下に記した作用動作を行わせるように構成することもできる。各入賞口には入賞球検出スイッチ（第１入賞検出スイッチ及び第２入賞検出スイッチ）４８，４９が配設され、各入賞球検出信号はメイン制御装置２４に入力される。メイン制御装置２４が入賞球検出信号を受け、払出制御装置３４に賞球個数を指令するデータビットの記録された賞球コマンドを送信する。賞球コマンドを払出制御装置３４が受信すると、払出制御装置３４は賞品球排出装置３５に設けられた図示しない賞球モータを駆動する。賞球モータの駆動により排出された賞品球を賞品球検出センサ３９が検出し、賞品球検出信号をメイン制御装置２４と払出制御装置３４とに入力する。メイン制御装置２４と払出制御装置３４とはそれぞれ賞品球検出信号に応じて賞品球数を計数する。
【００５７】
　払出制御装置３４は、カードユニット３７からの貸球要求信号を入力したことに対応して貸球排出装置３６に設けられる図示しない貸球モータを駆動する。貸球モータの駆動により排出された貸球を貸球検出センサ４０が検出し、この貸球検出信号はメイン制御装置２４と共に払出制御装置３４にも入力される。メイン制御装置２４と払出制御装置３４とはそれぞれ貸球検出信号に応じて貸球数を計数する。
【００５８】
　また、メイン制御装置２４と払出制御装置３４との通信異常が検出された場合、又はカードユニット３７とパチンコ遊技機本体との電気的接続状態が未接続状態であることが検出された場合、又はパチンコ遊技機の前面下部に設けられた球を貯留する図示しない下皿部分における貯留状態が満タン状態となったことをメイン制御装置２４に接続された満タン検出スイッチ（図示せず）が検出した場合には、メイン制御装置２４から送信されたコマンド指令に基づく払出制御装置３４からの停止指令信号により、パチンコ球を弾発発射するための発射装置３８の発射モータが停止される。
【００５９】
　払出制御装置３４に接続された図示しないリセットスイッチが作用動作されると、賞球の未検出計数異常状態及び貸球の未検出計数状態がリセットされ、メイン制御装置２４と払出制御装置３４との払出データが初期状態にクリアされる。
【００６０】
　また、実施形態の電源系統の概略を説明すると、当該パチンコ遊技機に投入される交流（ＡＣ）２４Ｖ電気プラグからの交流電源は、図示しない電源基板に一旦入力され、直流（ＤＣ）に変換された後、払出制御装置３４とメイン制御装置２４と、その他音声制御基板とランプ制御基板と発射装置３８とに少なくとも分配されている。
【００６１】
　メイン制御装置２４では、電源基板よりＤＣ３４ＶとＤＣ１２Ｖなど複数種類の電源電圧が分配されている。メイン制御装置２４と払出制御装置３４とにはバックアップ用のＤＣ５Ｖ程度の電源が印加される。枠用外部出力接続端子基板（図示せず）とフォト分配基板（賞品球検出センサ３９と貸球検出センサ４０とが配設される基板）とには、払出制御装置３４より分配された電源が供給される。メイン制御装置２４からは特別図柄表示装置７を有する図柄制御基板（図示せず）と入賞球検出スイッチ４８、４９からの検出信号を中継する入賞スイッチ中継基板と、遊技盤面１からの電気信号を外部に出力するための盤面用外部出力端子基板とに異なる電源電圧が分配供給されている。
【００６２】
　なお、遊技盤面１には、カードユニット３７と当該パチンコ遊技機とが電気的に接続されていない場合に駆動表示されるカードユニット接続確認表示が、特別図柄表示装置７の絵柄表示部１５においてＶＤＰとキャラクタＲＯＭと液晶表示装置とにより表示されるようになっている。
【図面の簡単な説明】
【００６３】
【図１】本実施形態のパチンコ遊技機に配備された遊技盤面の正面図
【図２】本実施形態のパチンコ遊技機に配備された制御部を示す要部ブロック図
【図３】本実施形態のパチンコ遊技機に配備された払出制御系統の要部ブロック図
【図４】払出制御装置のＣＰＵが割り込み発生時に実行するデータ保持処理のフローチャート
【図５】払出制御装置のＣＰＵが電源投入時に実行するデータ復帰処理のフローチャート
【符号の説明】
【００６４】
　１　遊技盤面
　２　図柄表示ユニット
　３　ゲート
　４　ゲート
　５　普通電動役物
　６　役物ユニット
　７　特別図柄表示装置
　８　普通図柄表示装置
　９　始動入賞口
　１０　記憶数表示ＬＥＤ
　１１　記憶数表示ＬＥＤ
　１２　左図柄表示部
　１３　中図柄表示部
　１４　右図柄表示部
　１５　絵柄表示部
　１６　開閉扉
　１７　大入賞口
　１８　特定領域
　１９　普通入賞口
　２０　普通入賞口
　２１　アウト受入口
　２２　風車
　２３　ランプ付き風車
　２４　メイン制御装置
　２５　メインＣＰＵ
　２６　ＲＯＭ
　２７　ＲＡＭ
　２８　クロック・リセット回路
　２９　インタフェース
　３０　内部バス
　３１　スイッチ入力回路
　３２　ドライバ
　３３　表示用ドライバ
　３４　払出制御装置
　３５　賞品球排出装置
　３６　貸球排出装置
　３７　カードユニット
　３８　発射装置
　３９　賞品球検出センサ
　４０　貸球検出センサ
　４１　サブＣＰＵ
　４２　ＲＯＭ
　４３　ＲＡＭ
　４４　エラー表示器
　４５　払出バックアップ手段
　４６　電圧監視ＩＣ
　４７　書込み可能なＲＯＭ
　４８　第１入賞検出スイッチ
　４９　第２入賞検出スイッチ
【図１】
2004000808.tif 000003
【図２】
2004000808.tif 000004
【図３】
2004000808.tif 000005
【図４】
2004000808.tif 000006
【図５】
2004000808.tif 000007